(57)【要約】      （修正有）【課題】把手部材の形状を簡単なものにし、インサート成形により内容量が５００ｍｌ以下のボトルの肩部に、把手を固着させるようにした把手付きボトルを提供すること。【解決手段】把手付き小容量ボトルとして、ボトルＡの容量が５００ｍｌ以下のＰＥＴ樹脂製で、別途成形された把手部材Ｂｄをブロー金型の肩部形成部に装着し、加熱軟化させたプリフォームをブロー成形することにより、ボトルＡの肩部２に把手部材Ｂｄをインサート成形したボトルＡであって、把手部材Ｂｄが、ボトルＡの成形後にボトルＡの肩部２から突出する把手部５５と、把手部５５のボトルＡ側端に連設された係合部５６とからなり、把手部５５には、首部５８とヘッド部５９が設けられ、係合部５６の基部に係合凹条６０が設けられている。【選択図】図１
2011235967.tif 000002
【特許請求の範囲】
【請求項１】
ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、
把手部材が、ボトルの成形後にボトルの肩部から突出する把手部と、把手部のボトル側端に連設された係合部とからなり、
把手部には、首部とヘッド部が設けられ、係合部の基部に係合凹条が設けられていることを特徴とする把手付き小容量ボトル。
【発明の詳細な説明】
【技術分野】
【０００１】
本発明は、把手付きボトル、特に、把手部材をインサート成形により一体成形した内容量が５００ｍｌ以下のＰＥＴ樹脂製ボトルに関するものである。
【背景技術】
【０００２】
容器の持ち運びを簡単にするため、把手を具えた把手付きボトルとして、把手部材を別体で成形し、インサート成形によりボトルの一部に固着させた把手付きボトルは、従来より知られている（例えば、特許文献１、２参照）。
【先行技術文献】
【特許文献】
【０００３】
【特許文献１】特開平６−３３５９５８号
【特許文献２】特開平７−８０９２１号
【発明の概要】
【発明が解決しようとする課題】
【０００４】
上記特許文献１、２記載の把手付きボトルは、いずれも大型のボトルであって、把手はボトルの胴部にインサート成形されるようにしている。
しかしながら、５００ｍｌ以下の小容量のボトルでは、従来のように把手を胴部に取り付けた場合、把手がかえってボトルの持ち運びや取扱いの妨げとなり、美観を損なうことにもなった。
【０００５】
小容量のボトルの場合には、ボトル自体を手で掴むことだけで充分であるので、ボトル自体に把手を付けることまで考えなかった。
また、ボトルの持ち運び、使い勝手をよくするため、小容量のボトルの首部にひも等を巻き付けたり、ボトル自体を袋等で包み込んだり、ひも等を引っ掛けて使用するということも考えられてはいるが、ボトルに、ひも等を装着するための作業が必要となっていた。
【０００６】
本発明は、上記の事情を考え、把手部材の形状を簡単なものにし、インサート成形により内容量が５００ｍｌ以下のボトルの肩部に、把手を固着させるようにした把手付きボトルを提供することを目的とする。
【課題を解決するための手段】
【０００７】
本発明は、上記の課題を解決するため、把手付き小容量ボトルとして、ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、把手部材が、ボトルの成形後にボトルの肩部から突出する把手部と、把手部のボトル側端に連設された係合部とからなり、把手部には、首部とヘッド部が設けられ、係合部の基部に係合凹条が設けられていることを特徴とする構成を採用する。
【発明の効果】
【０００８】
本発明の把手付きボトルは、容量が５００ｍｌ以下のＰＥＴボトルの肩部に把手をインサート成形することによって取着するようにしたので、胴部のパネル面の形状を変更することがなく、ボトルの持ち運び、使い勝手がよくなった。
【図面の簡単な説明】
【０００９】
【図１】本発明の把手付きボトルの立面図である。
【図２】把手部材の断面立面図である。
【発明を実施するための形態】
【００１０】
次に、本発明の把手付きボトルについて、図面を参照して説明する。
図１において、ＡはＰＥＴ樹脂により延伸ブロー成形され、内容量が５００ｍｌ以下のボトル、ＢｄはボトルＡの肩部の一部にインサート成形により一体成形される把手部材、ＣｄはボトルＡの肩部の一部に把手部材Ｂｄをインサート成形することにより形成される係合凹部である。
ボトルＡは、口部１と肩部２、とを具えている。
【００１１】
把手部材Ｂｄは、図１、２に示すように、ボトルＡの肩部２から突出する把手部５５と、把手部５５のボトルＡ側端に連設され、ボトルＡの係合凹部Ｃｄに係合する係合部５６とからなっている。
【００１２】
把手部５５の内側には、基部５７と、縮径された首部５８が設けられ、端側には拡径されたヘッド部５９が形成されている。
係合部５６には、基部５７に接して、縮径された係合凹条６０が形成されている。
【００１３】
係合凹部Ｃｄは、把手部材ＢｄをボトルＡのブロー金型の肩部成形部に装着し、ボトルＡのプリフォームをブロー成形することにより、把手部５５のボトルＡ側端面、および係合部５６の外周の形にボトルＡの樹脂が回り込み、図１に示すように、ボトルＡの肩部２の一部に係合凹部Ｃｄが形成される。
その際、係合凹部Ｃｄの開口側には、把手部材Ｂｄの係合部５６の係合凹条６０に係合する係合突条６１が、ボトルＡの樹脂が回り込んで形成される。
【００１４】
次に、本実施形態の把手付きボトルの作用効果について説明する。
本実施形態の把手付きボトルでは、把手部材Ｂｄの係合部５６の外周に係合凹部ＣｄがボトルＡ成形時に回り込むように形成され、把手部材ＢｄをボトルＡに強固に固着することができる。
また、手指等で把手部材Ｂｄの把手部５５を摘んだり、把手部５５の首部５８に引っ掛けることが簡単にでき、ボトルの持ち運びに便利である。
【００１５】
本実施例の把手付きボトルは、ボトルＡに把手部材Ｂｄをインサート成形により一体化して成形するので強固に固着することができ、ボトルとしての美観を損なうことがない。
【００１６】
さらに、把手部材Ｂｄは、手指等で把手部５５を摘んだり、把手部５５の首部５８に引っ掛けることができればよいので、大きさを小さくすることができ、内容量が少なく小さいボトルにも、ボトルＡに把手部材Ｂｄをインサート成形により一体化して強固に固着することができる。
【００１７】
本発明の把手付きボトルは、ボトルＡに把手部材Ｂｄをインサート成形により一体化して強固に固着することができればよいので、ボトルの形状は円形、四角形、多角形を問わずどんな形状でもよい。
【００１８】
上記実施形態の把手部材は、手指等を引っ掛けることができるので、ストラップや首掛け等を引っ掛けて結ぶことにより、ボトルの持ち運びをさらに便利にすることができ、さらに、ストラップや首掛け等をフック等に引っ掛ける等によりボトルを所定の場所に引っ掛けておくことができる。
【産業上の利用可能性】
【００１９】
本発明の把手付きボトルは、把手部材の構造を簡単で小さいものにすることができ、内容量が５００ｍｌ以下のＰＥＴ樹脂により成形されるボトルの成形時に、把手部材をインサート成形することにより一体成形させることで、把手部材をボトルの肩部の一部に固着することができる。
また、どのような形のボトルにも、把手部材を一体成形し、持ち運び、または引っ掛けることが簡単にできるので、飲料品、食料品、香料、薬品の容器として、広く利用することができる。
【符号の説明】
【００２０】
Ａ              ボトル
Ｂｄ            把手部材
Ｃｄ            係合凹部
１              口部
２              肩部
５５            把手部
５６            係合部
５７            基部
５８            首部
５９            ヘッド部
６０            係合凹条
６１            係合突条
【図１】
2011235967.tif 000003
【図２】
2011235967.tif 000004